(57)【要約】【課題】知恵のつき始めた幼児であってもいたずらに解錠されにくい扉開き防止装置を提供する。【解決手段】扉体の間に掛け渡されるアーム部４に係止爪５４のロック状態を半解錠した状態とする位置にロックレバー５を移動させることを可能とする切欠部４３と、半解錠した状態にある係止爪５４のロック状態を全解錠状態とする位置にロック解除レバー５３を移動させることを可能とする引出孔４４とを設け、解錠に至までの動作を２アクションとする。【選択図】  図２
2004360192.tif 000002
【特許請求の範囲】
【請求項１】
扉体の戸当たりを挟んで対称位置に取り付けられる一対のベース部と、上記各ベース部間に架け渡されるアーム部とを含み、上記アーム部は、いずれか一方の上記ベースに回転可能に軸支され、いずれか他方の上記ベースから突設された係止凸部に対して所定のロック手段を介して着脱自在に係止される扉開き防止装置において、
上記アーム部には、上記係止凸部と嵌合するガイド溝が設けられており、上記ロック手段は、上記ガイド溝内に向けて出没する係止爪を有するロックレバーと、上記係止爪を常に上記ガイド溝に向けて突出させるバネ付勢部とを有し、上記アーム部には、上記係止爪の上記係止凸部に対するロック状態を半解錠した状態とする位置に上記ロックレバーを移動させることを可能とする第１ロック解除部と、上記半解錠した状態にある上記係止爪のロック状態を全解錠状態とする位置に上記ロックレバーを移動させることを可能とする第２ロック解除部とが設けられていることを特徴とする扉開き防止装置。
【請求項２】
上記第１ロック解除部は、上記ロックレバーの一部を押圧して持ち上げる構造のボタン式で、上記第２ロック解除部は、上記ロックレバーの一部に設けられたロック解除レバーを操作するレバー式である請求項１に記載の扉開き防止装置。
【請求項３】
上記第１ロック解除部と上記第２ロック解除部は、片手で操作可能な範囲内に設けられている請求項１または２に記載の扉開き防止装置。
【発明の詳細な説明】
【０００１】
【発明の属する技術分野】
本発明は、例えば食器棚などの扉を幼児がいたずらに開けないようにするための扉開き防止装置に関し、さらに詳しく言えば、特に５，６歳の知恵がつき始めた幼児であってもいたずらに操作しにくい扉開き防止装置に関する。
【０００２】
【従来の技術】
一般に、幼児は目に入るものすべてに触れたり、口に入れたりしてそれが何かという知恵を徐々に付けてゆくものであるが、例えば食器などの壊れやすいものや薬や刃物などの危険物には、できる限り触れさせない方がよい。また、クローゼットなどの大型家具の扉は重いため、勢いづいて閉まった場合に指などを挟むと大けがをするおそれがある。
【０００３】
そこで、幼児がこのような事故を起こさないようにするため、扉の開閉を規制する扉開き防止装置が種々提案されている。例えば特許文献１の扉開き防止金具は、家具の天面に回転可能に取り付けられた回転棒と、同回転棒の一端に取り付けられ、両開きの各扉面に跨って配置される押さえ板とを備えている。
【０００４】
これによれば、ロック時は押さえ板が各扉面を押さえるため、幼児にとって簡単には扉を開けることはできない。すなわち、ロックを解除するには、押さえ板を１８０°回転して持ち上げて、扉面に対する押さえを解除しなければならないからである。
【０００５】
【特許文献１】
特開平９−６７９７１号公報
【０００６】
【発明が解決しようとする課題】
しかしながら、上記扉開き防止金具には次のような問題があった。すなわち、３〜４歳児ぐらいまでの子供は押さえ板を１８０°回転させるという知恵はないにしても、比較的知恵のつき始めた４，５歳児の子供には、簡単にロックを見破られ解錠されてしまうことがある。
【０００７】
また、幼児の多くは、ロックを一方的に解除する一方で、解錠後に再び施錠することはほとんどしない。したがって、扉が常に開放された状態となり、二次的な被害を招くおそれもある。
【０００８】
そこで、本発明は上述した課題を解決するためになされたものであって、知恵のつき始めた幼児であってもいたずらに解錠されにくい扉開き防止装置を提供することにある。
【０００９】
【課題を解決するための手段】
上述した目的を達成するため、本発明は、扉体の戸当たりを挟んで対称位置に取り付けられる一対のベース部と、上記各ベース部間に架け渡されるアーム部とを含み、上記アーム部は、いずれか一方の上記ベースに回転可能に軸支され、いずれか他方の上記ベースから突設された係止凸部に対して所定のロック手段を介して着脱自在に係止される扉開き防止装置において、上記アーム部には、上記係止凸部と嵌合するガイド溝が設けられており、上記ロック手段は、上記ガイド溝内に向けて出没する係止爪を有するロックレバーと、上記係止爪を常に上記ガイド溝に向けて突出させるバネ付勢部とを有し、上記アーム部には、上記係止爪の上記係止凸部に対するロック状態を半解錠した状態とする位置に上記ロックレバーを移動させることを可能とする第１ロック解除部と、上記半解錠した状態にある上記係止爪のロック状態を全解錠状態とする位置に上記ロックレバーを移動させることを可能とする第２ロック解除部とが設けられていることを特徴とするとしている。
【００１０】
これによれば、第１ロック解除部を操作しただけではロック状態が半解錠状態のためロックを解除することはできず、半解錠状態のままさらに第２ロック解除部を操作することでようやくロックが完全に解除されるため、解錠に至までの動作を２アクションとすることができ、知恵がつき始めた４，５歳児の幼児などであっても容易にロックを解除することはできない。
【００１１】
より好ましい態様として、上記第１ロック解除部は、上記ロックレバーの一部を押圧して持ち上げる構造のボタン式で、上記第２ロック解除部は、上記ロックレバーの一部に設けられたロック解除レバーを操作するレバー式であることが好ましく、より好ましくは、上記第１ロック解除部と上記第２ロック解除部は、片手で操作可能な範囲内に設けられていることがよい。
【００１２】
これによれば、解錠に至までには２アクションを要するが、１つは押しボタン式で、もう１つはレバー式であるため、複雑な動作を必要としないため、大人であれば簡単、かつ、片手で解錠することができる。
【００１３】
【発明の実施の形態】
次に、本発明の実施形態について図面を参照しながら説明する。図１は、本発明の一実施形態に係る扉開き防止装置の使用状態を示す斜視図であり、図２は、扉開き防止装置の内部構造と、その動作を説明するための説明図である。
【００１４】
この扉開き防止装置１は、左右一対の扉体Ｄ１，Ｄ２に戸当たりＯを挟んで左右対称に取り付けられる一対のベース部２，３と、同ベース部２，３の間に掛け渡されるアーム部４とを備えている。
【００１５】
ベース部２（以下、第１ベース部２とする）は、被取付面（この実施形態で扉体Ｄ１）に対して取り付けられる円盤状の基台２１と、同基台２１の中央より立設された係止凸部２２とを備えている。
【００１６】
図３（ａ）に示すように、基台２１の裏面側（被取付面側）には、被取付面に対して第１ベース部２を取り付ける取付手段としての両面粘着テープＴが設けられている。なお、この実施形態では両面粘着テープＴを用いて基台ベース２１を被取付面に取り付けているが、例えばマグネットや釘などの取付手段であってもよい。
【００１７】
係止凸部２２は、後述するアーム部４のガイド溝４２内に導き入れられる係止ロッド２３と、同係止ロッド２３の先端に一体的に設けられた抜け止め防止用の拡径部２４とを一体に備えている。係止ロッド２３の長さは、アーム部４の厚さよりも若干長めに形成されている。
【００１８】
図３（ｂ）に示すように、ベース部３（以下、第２ベース部３とする）は、上記第１ベース部２と同じく円盤状の基台３１を備え、その中央部にはアーム部４を回転可能に軸支する軸受部３２が設けられている。基台３１の裏面側（被取付面側）には、第１ベース部２と同様に被取付面に対して第２ベース部３を取り付ける取付手段としての両面粘着テープＴが設けられている。
【００１９】
軸受部３２は、基台３１から立設された円筒状のボス３３と、同ボス３３に対して着脱自在に取り付けられる抜け止め鋲３４とを備えており、このボス３３にアーム部３の軸受孔４１を挿通した状態で抜け止め鋲３４を取り付けることにより、アーム部４が第２ベース部３に対して回転可能に軸支される。
【００２０】
図２（ａ）に示すように、アーム部４は、両端が円形状に形成され、扉Ｄ１，Ｄ２と対向する開放された断面コ字状の合成樹脂の成型品からなり、内部にアーム部４を第１ベース部２に対して係止するロック手段としてのロックレバー５が設けられている。この実施形態では、アーム部４は扉面側が開放されているが、ロックレバー５を収納した後、蓋などで開放端を塞いでもよい。
【００２１】
アーム部４の一端（図２（ａ）では右側）には、第２ベース部３のボス３３に沿って挿通される軸受孔４１が設けられている。アーム部４は、この軸受孔４１を中心軸として、第２ベース部３に回転可能に軸支されている。
【００２２】
アーム部４の他端（図２（ａ）では左側）には、第１ベース部２の係止ロッド２３に嵌合するガイド溝４２が設けられている。ガイド溝４２は、アーム部４の外周面からほぼ中央にかけて形成された溝であり、アーム部４の回転軌跡に沿って形成されている。
【００２３】
図２（ａ）にも示すように、ガイド溝４２の溝幅は、上記係止凸部２２の係止ロッド２３が嵌合可能な幅、すなわち係止ロッド２３の直径よりも若干広幅とされている。
【００２４】
ロックレバー５は、アーム部４内に沿って横長に配置されるレバー本体５１と、一端がレバー本体５１に接続され、ガイド溝４２を挟んでアーム部４内の第１ベース部２側の空間内に保持されるバネ付勢部５２と、ロックレバー５の係止状態を解除するためのロック解除レバー５３とを備えている。
【００２５】
レバー本体５１には、ガイド溝４２内に向けて突設される係止爪５４が設けられており、係止爪５４には、係止状態において係止ロッド２３を噛み込む顎部５５が形成されている。
【００２６】
この実施形態において、図２（ａ）に示すように係止爪５４は、ガイド溝４２に対する係止凸部２２の挿入方向に対して入り込みやすいようにテーパー面とされており、脱落方向に対しては、抜け止め用の水平面とされている。
【００２７】
レバー本体５１の一端（図２（ａ）では左端）には、ロックレバー５の移動を規制するストッパー５６が突設されている。この実施形態において、ストッパー５６は板状の舌片からなり、この舌片がアーム部４の内壁に当接することにより、ロックレバー５が係止ロッド２３を中心とする回転範囲を規制している。
【００２８】
バネ付勢部５２は、レバー本体５１の上端側から下方に向けてコ字状に形成されており、その先端がアーム部４内のガイド溝４２を形成する壁に当接している。このバネ付勢部５２によって、レバー本体５１の係止爪５４が常にガイド溝４２に向かって突出するようにバネ付勢される。
【００２９】
ロック解除レバー５３は、レバー本体５１の上端側から図２（ａ）に示すように、ほぼ垂直に立設されている。
【００３０】
アーム部４には、レバー本体５１の一部を外部に露出させるための第１ロック解除部としての切欠部４３と、第２ロック解除部としてのロック解除レバー５３をアーム部４から引き出すための引出孔４４とが設けられている。
【００３１】
図２（ｂ）に示すように、切欠部４３は、アーム部４のほぼ中央から内側に向けて半円形状に切り欠かれた切欠からなり、切欠部４３からレバー本体５１の一部が外部に露出するようになっている。
【００３２】
引出孔４４は、アーム部４の端部（図２（ａ）では、第１ベース部２側）の頂部に設けられており、ここからロック解除レバー５３の一部が引き出されている。なお、切欠部４３および引出孔４４は、片手で操作可能な範囲内に設けられていることがよい。
【００３３】
これによれば、解錠に至までには２アクションを要するが、１つは押しボタン式で、もう１つはレバー式であるため、複雑な動作を必要としないため、大人であれば簡単、かつ、片手で解錠することができる。
【００３４】
次に、図２（ａ）〜（ｄ）を参照して、この扉開き防止装置１の使用手順の一例について説明する。まず、扉開き防止装置１を被取付面である扉体に取り付けるに当たっては、あらかじめ図２（ａ）の状態で組み立てられている扉開き防止装置１を手に取り、各ベース部２，３の裏面に設けられた両面粘着テープＴ，Ｔの図示しないセパレータを剥がし取る。
【００３５】
次に、その各粘着面を図１に示す扉体Ｄ１，Ｄ２の戸当たりＯを挟むようにして各扉体Ｄ１，Ｄ２に貼着することで簡単に取り付けることができる。これによれば、扉体Ｄ１，Ｄ２の戸当たりＯを跨ぐようにしてアーム部４が掛け渡されているため、扉体Ｄ１，Ｄ２の開閉を規制することが可能となる。
【００３６】
ロックを解除するに当たっては、まず、図２（ｂ）に示すように指（例えば左手の親指）をアーム部４の切欠部４３から露出しているレバー本体５１に押し当て、そのまま上に押し上げる。
【００３７】
これにより、レバー本体５１は、係止ロッド２３の中心を支点として、反時計方向（図中矢印方向）に持ち上げられる。このとき、ガイド溝４２内に突出している係止爪５４は、約半分がアーム部４内に逃げるため、係止ロッド２３は半解錠状態となる。
【００３８】
次に、この状態を維持した状態のまま、図２（ｃ）に示すように指（例えば左手の人差し指）をロック解除レバー５３に押し当て、時計方向に水平に押し込むと、レバー本体５１は、バネ付勢部５２のバネ付勢に抗しながらアーム部４内を第２ベース部３側に水平に移動する。これにより、係止爪５４が完全にアーム部４内に引き込まれロックが解除される。
【００３９】
最後に使用者は、図２（ｄ）に示すように、ロックの解除状態を維持したまま手を上に持ち上げることで、アーム部４が第２ベース部３を中心に回転し、ガイド溝４２内に引き込まれていた係止凸部２２がロックから開放されることで、扉体Ｄ１，Ｄ２が開閉可能となる。
【００４０】
再びロックをかけるに当たっては、上述した解錠動作を再び繰り返す必要はなく、係止爪５４には入力方向にテーパー面が設けられているため、そのままアーム部４を第１ベース部２に向けて進行させて行けば、係止ロッド２３が自動的に係止爪５４を乗り越えて係止凹部５５内に引き込まれることでロック状態となる。
【００４１】
この実施形態において、扉開き防止装置１は、観音開き式の一対の扉体Ｄ１，Ｄ２に適用した場合について例示したが、これ以外に、例えば図４（ａ）に示すように、片開きの扉体Ｄ３と壁面Ｗとの間に扉開き防止装置１を適用してもよいし、図４（ｂ）に示すように引き戸の扉体Ｄ４，Ｄ５に使用してもよい。また、図４（ｃ）に示すように、引き出しＤ６，Ｄ７の間に上下に橋渡しに使用してもよい。
【００４２】
【発明の効果】
以上説明したように、本発明によれば、扉体の間に掛け渡されるアーム部に係止爪のロック状態を半解錠した状態とする位置にロックレバーを移動させることを可能とする第１ロック解除部と、半解錠した状態にある係止爪のロック状態を全解錠状態とする位置にロックレバーを移動させることを可能とする第２ロック解除部とを設けたことにより、解錠に至までの動作が２アクションとなり、知恵がつき始めた幼児などであっても容易にロックを解除することはできない。
【図面の簡単な説明】
【図１】本発明の一実施形態に係る扉開き防止装置の使用状態を示す斜視図。
【図２】上記扉開き防止装置の内部構造と、その使用手順を説明する説明図。
【図３】各ベース部の構造を説明する説明図。
【図４】扉開き防止装置の使用場所を説明する説明図。
【符号の説明】
１  扉開き防止装置
２  第１ベース部
２１  基台
２２  係止凸部
３  第２ベース部
３１  基台
３２  軸受部
４  アーム部
４１  軸受孔
４２  ガイド溝
４３  切欠部
４４  引出孔
５  ロックレバー
５１  レバー本体
５２  バネ付勢部
５３  ロック解除レバー
５４  係止爪
Ｄ１〜Ｄ７  扉体（引き出し）
【図１】
2004360192.tif 000003
【図２】
2004360192.tif 000004
【図３】
2004360192.tif 000005
【図４】
2004360192.tif 000006